(57)【特許請求の範囲】
【請求項１】
複数のバンドの各レベルを制御する動作データを記憶するカレント記憶手段と、
入力する信号の各バンドのレベルを、前記カレント記憶手段の動作データに基づいて制御し、出力するレベル制御手段と、
前記カレント記憶手段の動作データ中の各バンドのレベルを調整するための調整操作子と、
前記動作データを複数記憶するプリセット記憶手段と、
前記プリセット記憶手段の１つの動作データを選択するプリセット選択手段と、
選択された１つの動作データを前記プリセット記憶手段から読み出して、前記カレント記憶手段へ書き込むプリセット呼出手段と
を備えたグラフィックイコライザであって、さらに、
１つのスイッチ操作子の操作に応じて、通常モードを終了させるとともに、自動調整の実行を指示する指示手段と、
前記自動調整の実行が指示されている間、所定の測定信号を外部に出力するとともに、外部から入力する信号の特性を計測する計測手段と、
前記自動調整の実行指示が終わったとき、前記計測手段の計測結果に基づき、特性をフラット化させる補正動作データを生成し、前記カレント記憶手段に書き込む自動調整手段と、
前記自動調整の実行指示が終わったとき、自動調整モードを開始させるとともに、前記調整操作子の操作に応じて、自動調整モードから通常モードに移行させる自動モード切替手段と、
を備えており、
前記プリセット選択手段により前記プリセット記憶手段の１つの動作データが選択されたとき、前記プリセット呼出手段は、通常モードにおいては、選択された動作データをそのまま前記カレント記憶手段に書き込み、自動調整モードにおいては、選択された動作データをそのまま前記カレント記憶手段に書き込む代りに、選択された動作データと前記自動調整手段が生成した補正動作データとを合成した合成動作データを前記カレント記憶手段に書き込む
ことを特徴とする自動設定機能を有するグラフィックイコライザ。
【発明の詳細な説明】
【技術分野】
【０００１】
本発明は、周波数特性の自動設定機能を有するグラフィックイコライザに関する。
【背景技術】
【０００２】
従来より、入力した楽音の周波数特性を自在に変化させて出力することができるグラフィックイコライザ（ＧＥＱ）が知られている。ＧＥＱには、予めプリセットされている複数の周波数特性を任意に呼び出して設定したり、ユーザが作成した周波数特性を保存しておき呼び出して設定するものが知られている。
【０００３】
一方、ＧＥＱなどの音響処理装置では、テスト用の信号をスピーカから放音し、その音をマイクから入力し、入力した楽音を解析し、その解析結果に基づいてフィルタの特性を設定する自動調整機能が知られている（特許文献１など）。これは、スピーカから放音された楽音が、当該スピーカの特性や室内環境などの外部環境によってその周波数特性が変化することがあるため、そのような周波数特性の変化を補正するために利用される機能である。
【特許文献１】特許第３２０６７７０号
【発明の開示】
【発明が解決しようとする課題】
【０００４】
ところで、上述したようにプリセットされている周波数特性から所望の特性を設定する場合でも、上述した自動調整機能による特性の補正を行いたいという要望があった。しかしながら、従来のグラフィックイコライザでは、プリセットの周波数特性を呼び出すときに、自動調整機能による特性の補正をかけることができなかった。また、自動調整機能で補正された周波数特性を初期値として、各バンドの特性を調整することができないという問題があった。
【０００５】
本発明は、周波数特性に関する自動調整機能を有するＧＥＱにおいて、該自動調整機能を利用した測定結果を、いろいろなバリエーションの周波数特性に対して簡単に適用して周波数特性の補正ができ、さらに周波数特性の微調整も簡単に行えるようにすることを目的とする。
【課題を解決するための手段】
【０００６】
上記目的を達成するため、本発明では、１つのスイッチ操作子の操作に応じて、通常モードを終了させ、自動調整の実行を指示する。自動調整の実行が指示されている間、所定の測定信号（ピンクノイズやテスト信号）を外部に出力し、外部から入力した信号の周波数特性を計測する。自動調整の実行指示が終わったとき、その計測結果に基づき、周波数特性をフラット化させる補正動作データを生成してカレント記憶手段に保存する。プリセット選択手段により１つの動作データが選択されたとき、通常モードでは、選択された動作データをそのままカレント記憶手段に書き込み、自動調整モードでは、選択された動作データをそのままカレント記憶手段に書き込む代りに、選択された動作データに前記補正動作データを合成した合成動作データをカレント記憶手段に書き込むようにする。また、カレント記憶手段の動作データ中の各バンドのレベルを調整するための調整操作子を備えており、自動調整モードで調整操作子を操作すると、各バンドのレベルを微調整できるとともに、自動調整モードから通常モードに戻る。
【発明の効果】
【０００７】
本発明によれば、自動調整が指示されて通常モードから自動調整モードに移行し、スピーカや部屋などの周波数特性の測定が行われた後には、その計測結果に基づいて、特性をフラット化させる補正動作データが生成され、自動調整モードのままプリセットの動作データを選択することにより、補正動作データを加味したプリセットの動作データをカレント記憶手段に設定できる。従って、１回の計測結果に基づく補正動作データを、様々なバリエーションの特性に適用して手軽に試すことができる。一方、通常モードでは、選択されたプリセットの動作データをそのままカレント記憶手段に設定できる。さらに、調整操作子を備えているので、自動調整後でも、周波数特性の微調整を容易に行うことができる。さらに、調整操作子を操作すると自動的に通常モードに戻り、プリセットの選択により、補正動作データを加味しないプリセットの動作データを呼び出すことができる。
【発明を実施するための最良の形態】
【０００８】
以下、図面を用いてこの発明の実施の形態を説明する。
【０００９】
図１は、この発明の一実施形態である自動設定機能を有するＧＥＱの概略構成を示す。このＧＥＱ１００は、ＣＰＵ（中央処理装置）１０１、フラッシュメモリ１０２、ＲＡＭ（ランダムアクセスメモリ）１０３、表示器１０４、操作子１０５、ＡＤＣ（アナログディジタル変換器）１０６，１０７，１１１、ＤＳＰ（信号処理部）１０８、出力選択部１０９、ピンクノイズ発生部１１０、ＤＡＣ（ディジタルアナログ変換器）１１２、及びバスライン１１３を備える。
【００１０】
ＣＰＵ１０１は、このＧＥＱ全体の動作を制御する処理装置である。フラッシュメモリ１０２は、ＣＰＵ１０１が実行する各種のプログラムや定数データなどを格納する不揮発性メモリである。フラッシュメモリ１０２には、後述するプリセットの動作データやユーザ設定の動作データの格納領域が設けられている。ＲＡＭ１０３は、各種のワークメモリとして使用する揮発性メモリである。ＲＡＭ１０３には、入力信号に付与する周波数特性を規定する動作データ（複数の各バンドのレベルを制御するためのデータ）を格納するカレントメモリが設けられている。表示器１０４は、ＣＰＵ１０１からの指示に基づいて、与えられたデータを表示するディスプレイである。操作子１０５は、このイコライザの外部パネル上に設けられた各種のスイッチなどである。
【００１１】
ＡＤＣ１０６は、不図示のマイクから入力したアナログ音響信号をディジタル信号に変換する変換器である。ＡＤＣ１０６は所定容量のバッファを備えており、ＣＰＵ１０１は、適当なタイミングで、そのバッファに格納された所定時間分のディジタル音響信号を取り込むことができる。ＡＤＣ１０７は、周波数特性を付与する対象となる入力音響信号をディジタル信号に変換する変換器である。ＡＤＣ１０７の出力はＤＳＰ１０８に入力する。ＤＳＰ１０８は、ＣＰＵ１０１からの指示に応じて所定のマイクロプログラムを実行し、これによりＡＤＣ１０７経由で入力する入力信号に対して周波数特性を付与する。付与する周波数特性は、ＲＡＭ１０３のカレントメモリに格納されている動作データにより規定される特性である。具体的には、カレントメモリに動作データが設定（あるいは変更）されたとき、ＣＰＵ１０１は、該動作データに応じた係数パラメータをＤＳＰ１０８に送る。ＤＳＰ１０８は、この係数パラメータを用いて入力信号に対する周波数特性付与の演算を行う。ＤＳＰ１０８の出力は、出力選択部１０９に入力する。
【００１２】
ピンクノイズ発生部１１０は、ＣＰＵ１０１の指示に応じて、テスト用のピンクノイズを発生する。ＡＤＣ１１１は、外部から入力したアナログのテスト信号をディジタル信号に変換する変換器である。ＤＡＣ１１２は、出力選択部１０９から出力されるディジタル信号をアナログ信号に変換する変換器である。出力選択部１０９は、ＣＰＵ１０１からの指示に応じて、ＤＳＰ１０８、ピンクノイズ発生部１１０、またはＡＤＣ１１１の何れかの出力信号を選択してＤＡＣ１１２に出力する。ＤＡＣ１１２の出力は、外部のスピーカにより放音される。バスライン１１３は、上述の各部を相互に接続するバスラインである。
【００１３】
このＧＥＱ１００は、動作モードとして、通常モード、測定モード、及び自動モードを有する。通常モードは、ＡＤＣ１０７経由で入力する入力信号にカレントメモリの動作データで規定される周波数特性を付与することを基本動作とするモードである。通常モードにおいて、出力選択部１０９は、ＤＳＰ１０８の出力信号を選択しＤＡＣ１１２経由で出力する。電源オンされたときの初期状態は通常モードとする。測定モードは、ピンクノイズ発生部１１０で発生したピンクノイズまたはＡＤＣ１１１経由で入力したテスト信号を放音して、スピーカや部屋などの外部環境による周波数特性の変化を測定するモードである。測定モードにおいて、出力選択部１０９は、ピンクノイズ発生部１１０またはＡＤＣ１１１の出力信号を選択しＤＡＣ１１２経由で出力する。自動モードは、測定モードで測定した結果を用いて、入力信号に付与する周波数特性を補正するための補正動作データを求めるモードである。自動モードにおいて、出力選択部１０９は、ＤＳＰ１０８の出力信号を選択しＤＡＣ１１２経由で出力する。
【００１４】
図２は、本実施形態のイコライザ１００における外部パネルの外観を示す。外部パネル２００上の特性表示領域２０１に、各周波数帯域（バンド）毎のレベル値を表示するための複数のＬＥＤ（２１１や２１２など）が配置されている。ここでは９バンドの例を示した。特性表示領域２０１の上部の「６３ １２５ … ８ｋ １６ｋ」は各バンドの中心周波数である６３Ｈｚ、１２５Ｈｚ、…、８ｋＨｚ、１６ｋＨｚを示す。左側に縦方向に並べられている「＋１２ ＋６ ＋３ ０ −３ −６ −１２」は、レベル値（ｄＢ値）を表す目盛である。ＬＥＤの点灯している位置により、そのバンドのレベル値が示される。例えば、中心周波数が６３ＨｚのバンドではＬＥＤ２１２が点灯しているので（図では網掛けで点灯を示すものとする）、このバンドのレベル値は＋６ｄＢに設定されている。
【００１５】
各バンド毎に、これらのＬＥＤの下側にレベル値を増加／減少させるアップ（＋）スイッチ２１３とダウン（−）スイッチ２１４が設けられている。２２１はオンスイッチ、２２２〜２２４はプリセットスイッチ、２２５〜２２７はユーザスイッチを示す。各スイッチ２２１〜２２７の左側には、対応するスイッチの操作状況を示すＬＥＤ２３１〜２３７が設けられている。２４１は測定／自動（MEASURE/AUTO）スイッチであり、２４２はその操作状況を示すＬＥＤ（インジケータ）である。
【００１６】
オンスイッチ２２１は、イコライジング機能の有効／無効の切り換えを行うスイッチである。オンスイッチ２２１は押下する度にオン（有効）とオフ（無効）が切り換わり、オンのときＬＥＤ２３１が点灯し、オフのとき消灯する。オン状態では、特性表示領域２０１のＬＥＤの点灯状態で示されるＥＱ特性（カレントメモリの動作データに基づく周波数特性）が、入力信号に付与される。オフ状態では、特性表示領域２０１のＬＥＤの点灯状態はそのままであるが、入力信号はイコライジングされることなくそのままスルーで出力される。なお、オンスイッチ２２１は、通常モードまたは自動モードのときに上記切り換えを行うことができる。測定モードにおけるオンスイッチ２２１の操作は無効であり何も処理されない。
【００１７】
プリセットスイッチ２２２〜２２４のそれぞれには、予め所定のＥＱ特性が割り当てられている。それらのＥＱ特性の動作データは、フラッシュメモリ１０２中の各プリセットスイッチ２２２〜２２４に対応する記憶領域に記憶されている（ユーザは書き替え不可）。通常モードでプリセットスイッチ２２２〜２２４の何れかを押下すると、そのスイッチに対応する動作データがカレントメモリに読み出され、特性表示領域２０１のＬＥＤの点灯状態はそのＥＱ特性に応じたものとなる。このとき、押下されたプリセットスイッチの左側のＬＥＤ（２３２〜２３４の何れか）が点灯される。その状態から任意のバンドの＋スイッチ２１３または−スイッチ２１４を押下すると、そのバンドのレベル値が増加あるいは減少され（カレントメモリ上の値が変更される）、押下した＋または−スイッチの上側のＬＥＤの点灯状態がそれに伴って変更される。また、このとき点灯していたプリセットスイッチの横のＬＥＤは消灯される。
【００１８】
通常モードまたは自動モードにおいてユーザスイッチ２２５〜２２７の何れかを２秒間以上押し続けると、現状のＥＱ特性（すなわちカレントメモリの動作データ）が、押されたユーザスイッチに対応する記憶領域（フラッシュメモリ１０２中に割当てられている）に記憶される。記憶されたとき特性表示領域２０１のＬＥＤが１回点滅し、ユーザに動作データが記憶されたことを知らせる。
【００１９】
通常モードにおいてユーザスイッチ２２５〜２２７の何れかを２秒未満押すと、そのユーザスイッチに対応するフラッシュメモリ１０２中の動作データがカレントメモリに読み出され、特性表示領域２０１のＬＥＤの点灯状態はそのＥＱ特性に応じたものとなる。このとき、押下されたユーザスイッチの左側のＬＥＤ（２３５〜２３７の何れか）が点灯される。その後、任意のバンドの＋または−スイッチ２１３，２１４により、そのＥＱ特性を変更することができ、その変更に応じて特性表示領域２０１の表示が変更される。このとき、点灯していたユーザスイッチのＬＥＤは消灯される。
【００２０】
測定モードにおけるプリセットスイッチ２２２〜２２４及びユーザスイッチ２２５〜２２７の操作は無効である。測定モードにおいて任意のバンドの＋または−スイッチ２１３，２１４を押下すると、測定動作が中止されて通常モードに戻り、その時点のカレントメモリの動作データのそのバンドのレベル値が変更される。自動モードにおいて任意のバンドの＋または−スイッチ２１３，２１４を押下すると、通常モードに戻り、その時点のカレントメモリの動作データのそのバンドのレベル値が変更される。
【００２１】
通常モードにおいて何れかのバンドの＋スイッチ２１３と−スイッチ２１４を同時押しすると、カレントメモリ中のそのバンドのレベル値が０ｄＢに設定され、特性表示領域２０１の当該バンドのＬＥＤの表示も０ｄＢに設定される。異なる２つのバンドの＋スイッチ２１３と−スイッチ２１４を同時押しすると、それらのバンドの間にあるバンドについても同様にレベル値が０ｄＢに設定される。従って、一番左のバンド（６３Ｈｚ）の＋スイッチ２１３と−スイッチ２１４及び一番右のバンド（１６ｋＨｚ）の＋スイッチ２１３と−スイッチ２１４を同時押しすると（これを「フラットスイッチ」のオンと呼ぶ）、全バンドのレベル値が０ｄＢに設定される。測定モードにおける上記＋と−スイッチ２１３，２１４の同時押しは全て無効である。自動モードにおける上記＋と−スイッチ２１３，２１４の同時押しは、通常モードに戻って、上記通常モードの場合と同様に０ｄＢの設定を行う。
【００２２】
通常モードにおいて測定／自動スイッチ２４１を２秒以上かつ３秒未満押し続けると、ＬＥＤ（インジケータ）２４２が点滅表示され、測定モードに入り、ピンクノイズ発生部１１０からピンクノイズが出力される。このピンクノイズは、出力選択部１０９からＤＡＣ１１２を経てスピーカで放音される。その楽音をマイクからＡＤＣ１０６経由でディジタル波形データとしてＲＡＭ１０３上の所定のバッファに取り込み、ＣＰＵ１０１で当該波形データを周波数分析する。その測定結果は、スピーカ・部屋・会場などの周波数特性を表すものである。測定結果の特性カーブは、特性表示領域２０１のＬＥＤに点滅表示される。ピンクノイズは、５秒かけてレベルが上昇し、規定レベルに達する。その後、５秒で測定結果が安定する。測定モードに入ってからは、再度、測定／自動スイッチ２４１が押されるまで上記測定モードでの測定が継続されるので、ユーザは測定結果を見ながらスピーカの配置などの調整を行うことができる。
【００２３】
通常モードにおいて測定／自動スイッチ２４１を３秒間以上押し続けると、ＬＥＤ２４２が点滅表示され、測定モードに入り、図１のＡＤＣ１１１経由で入力したテスト信号が出力選択部１０９からＤＡＣ１１２を経てスピーカで放音される。その楽音を取り込んで、上記ピンクノイズの場合と同様にして周波数分析する。その測定結果を特性表示領域２０１のＬＥＤに点滅表示する点、及び再度測定／自動スイッチ２４１が押されるまで測定が継続される点も同じである。この測定結果は、アベレージングされて表示される。アベレージングは最新の１０秒間の平均値で求める。
【００２４】
測定モードの状態でユーザが測定／自動スイッチ２４１を押すと、測定が中止されて測定モードから自動モードに入り、ＬＥＤ２４２が点灯される。自動モードでは、測定結果の逆のＥＱ特性（補正動作データ）を生成し、補正動作データ保存領域（フラッシュメモリ１０２中に確保してある）に保存し、さらにカレントメモリに格納すると共に特性表示領域２０１に表示する。この逆特性は、極端なイコライジングを避けるため、測定結果に若干の修正を加えて生成するものとする。入力信号にこの逆特性を付与することにより、スピーカや部屋などの周波数特性に応じた補正がなされる。すなわち、もし周波数特性がフラットな入力信号を入力した場合、この逆特性を付与することにより、スピーカや部屋などの周波数特性に応じた補正がなされ、放音された楽音はフラットな特性を持つことになる。
【００２５】
自動モードの状態で何れかのプリセットスイッチ２２２〜２２４を押すと、自動モードのまま、押されたプリセットスイッチに対応する動作データがフラッシュメモリ１０２から読み出され、その動作データに、上記補正動作データ保存領域に保存されている補正動作データが合成（ｄＢ加算）されてカレントメモリに設定される。自動モードの状態で何れかのユーザスイッチ２２５〜２２７を押した場合も同様である。自動モードの状態におけるこれらのスイッチ２２２〜２２７の押下は何度でもやり直せるので、測定モードで測定したスピーカや部屋などの周波数特性結果に応じた逆特性の補正を、プリセットあるいはユーザ作成の特性に対して繰り返し試すことができる。
【００２６】
自動モードにおいて測定／自動スイッチ２４１を押すと、その時点でのカレントメモリの内容はそのままで通常モードに戻り、ＬＥＤ２４２が消灯する。通常モードにおいて測定／自動スイッチ２４１を押すと、自動モードになり、ＬＥＤ２４２が点灯し、補正動作データ保存領域に保存されている補正動作データ（前回測定時のもの）がカレントメモリに呼び出される。
【００２７】
図３（ａ）は、バンド（ｉ）のアップ（＋）スイッチがオンされたときのＣＰＵ１０１の処理を示すフローチャートである。ここでは９バンドあるので、ｉ＝１〜９で各バンドを区別する。ステップ３０１で、フラグＡＵＴＯが０か否か判定する。ＡＵＴＯは、０で通常モード、１で測定モード、２で測定後の自動モードの状態を示す。測定モードまたは自動モードのときは、ステップ３０２に進み、測定モードであれば計測中止処理を行う。次に、ステップ３０３でＡＵＴＯ＝０として通常モードに戻りＬＥＤ２４２を消灯し、ステップ３０４に進む。ステップ３０１で通常モードのときは、ステップ３０４でカレントメモリのバンド（ｉ）のレベルデータを増加させ、ステップ３０５で、プリセットスイッチとユーザスイッチのＬＥＤ２３２〜２３７を全て消灯するとともに、特性表示領域２０１のバンド（ｉ）のＬＥＤ表示を更新する。なお、ダウン（−）スイッチがオンされたときの処理も同様である。ただし、ステップ３０４で増加する代わりにレベルデータが減少される。
【００２８】
図３（ｂ）は、プリセットスイッチ（ｊ）がオンされたときのＣＰＵ１０１の処理手順を示すフローチャートである。プリセットスイッチは２２２〜２２４の３個あるので、ｊ＝１〜３で各プリセットスイッチを区別する。ステップ３１１でＡＵＴＯ≠１（測定モードでない）か判別する。測定モードのときは、処理を終了する。測定モードでないなら、ステップ３１２でプリセット（ｊ）の動作データをフラッシュメモリ１０２から読み出す。ステップ３１３では、ＡＵＴＯ＝２（自動モード）か判定する。自動モードのときは、ステップ３１４で、読み出したプリセットの動作データとフラッシュメモリ１０２の補正動作データ保存領域に保存されている補正動作データとを合成する。ステップ３１５で、得られた動作データ（通常モードのときはステップ３１２で読み出したもの、自動モードのときはステップ３１４で合成したもの）をカレントメモリへ書き込む。ステップ３１６で、当該プリセットスイッチのＬＥＤを点灯し、他のプリセットスイッチおよびユーザスイッチのＬＥＤを消灯するとともに、特性表示領域２０１のＬＥＤ表示をカレントメモリの動作データに応じて更新し、処理を終了する。
【００２９】
なお、ユーザスイッチが２秒未満オンされたときの処理も図３（ｂ）と同様である。「プリセット」を「ユーザ」に読み替え、プリセットスイッチ２２２〜２２４をユーザスイッチ２２５〜２２７に置き替えればよい。ユーザスイッチが２秒以上オンされたときの処理は、図示しないが、測定モードのときは何もせずに終了し、通常モードまたは自動モードのときはカレントメモリ上の動作データを当該オンされたユーザスイッチに対応する記憶領域に格納するものとする。
【００３０】
図４（ａ）は、測定／自動スイッチ２４１がオンされたときに（実際は、当該スイッチが押され、その後、離されたとき）起動されるＣＰＵ１０１の処理を示すフローチャートである。ステップ４０１で、オン状態が２秒以上であったか判定する。２秒以上でなかったときは、ステップ４０８でフラグＡＵＴＯを判定する。ＡＵＴＯ＝０（通常モード）のときは、ステップ４０９でＡＵＴＯ＝２（自動モード）としＬＥＤ２４２を点灯する。次に、ステップ４１０でフラッシュメモリ１０２の補正動作データ保存領域に保存されている補正動作データを読み出し、ステップ４１１で該補正動作データをカレントメモリに書き込み、ステップ４０７に進む。ＡＵＴＯ＝１（測定モード）のときは、ステップ４１２でＡＵＴＯ＝２（自動モード）としＬＥＤ２４２を点灯する。次に、ステップ４１３で、測定処理を中止し、出力選択部１０９がＤＳＰ１０８からのイコライザ出力を選択出力するように切り替え、ステップ４１４で、測定結果に応じて逆特性の補正動作データを算出し、フラッシュメモリ１０２の補正動作データ保存領域に保存し、ステップ４１１に進む。ＡＵＴＯ＝２（自動モード）のときは、ステップ４１５でＡＵＴＯ＝０（通常モード）としＬＥＤ２４２を消灯して、ステップ４０７に進む。
【００３１】
ステップ４０１でオンされていた時間が２秒以上のときは、ステップ４０２で３秒以上か判定する。３秒以上のときは、ステップ４０３で、出力選択部１０９がＡＤＣ１１１のテスト信号を計測信号としてＤＡＣ１１２に出力するように切り替える。２秒以上３秒未満のときは、ステップ４０４で、出力選択部１０９がピンクノイズ発生部１１０のピンクノイズを計測信号としてＤＡＣ１１２に出力するように切り替える。ステップ４０３，４０４の後、ステップ４０５でＡＵＴＯ＝１（測定モード）とし、ＬＥＤ２４２を点滅表示し、ステップ４０６でＡＤＣ１０６経由で入力したマイク信号の分析を開始する。ステップ４０７では、プリセットスイッチとユーザスイッチのＬＥＤ２３２〜２３７を全て消灯するとともに、特性表示領域２０１のＬＥＤの表示（通常モードと自動モードのときはカレントメモリの動作データの特性を表示し、測定モードのときは測定結果の特性を点滅表示する）を更新し、処理を終了する。
【００３２】
図４（ｂ）は、ＣＰＵ１０１によるＡＵＴＯ＝１（測定モード）のときの計測割り込み処理の手順を示す。この処理は、測定モードにおいて所定時間間隔で発生する割り込みの処理である。ステップ４２１で、ＡＤＣ１０６経由で入力するマイク信号の波形データを受け取る。ステップ４２２で当該波形データを周波数分析し、ステップ４２３でその周波数分析結果を特性表示領域２０１のＬＥＤに点滅表示し、処理を終了する。
【００３３】
なお、上記プリセットスイッチ２２２〜２２４やユーザスイッチ２２５〜２２７を押して動作データをカレントメモリに呼び出した場合、そのスイッチを再度押すと、呼び出し前の特性に戻るようにしてもよい。
【００３４】
上記実施形態では、測定／自動スイッチ２４１のオン状態の時間を、２秒及び３秒を閾値として、それ以上か否かで制御を異ならせるようになっていたが、その２つの閾値は２秒、３秒に限らず、適宜決めてよい。
【００３５】
また、測定／自動スイッチ２４１の２秒未満のオン操作により、ユーザスイッチの通常モードと自動モードがトグルで切り替わるとき、プリセットスイッチないしユーザスイッチのオン状態が解除され、ＬＥＤ２３２〜２３７が全て消灯されるようになっていたが、該トグル切り替えの間、プリセットスイッチないしユーザスイッチのオン状態が保持されるようにしてもよい。具体的には、図４（ａ）のフローにおいて、測定／自動スイッチの操作により通常モード（ＡＵＴＯ＝０）に変わるとき、ステップ４０５の直後に、オン状態の当該スイッチに対応する動作データをカレントに書き込む処理を挿入し、また、自動モード（ＡＵＴＯ＝２）に変わるとき、ステップ４１１の処理で、オン状態の当該スイッチの動作データを補正動作データと合成してカレントに書き込むようにすればよい。
【００３６】
また、図４（ａ）に示される処理では、計測モード（ＡＵＴＯ＝１）であってもステップ４０１の時間判定を行うようになっていたが、計測モードのときは、オン時間の長さに関係なくステップ４０８に進行するようにしてもよい。
【図面の簡単な説明】
【００３７】
【図１】実施形態である自動設定機能を有するＧＥＱの概略構成図
【図２】外部パネルを示す図
【図３】アップスイッチオン処理及びプリセットスイッチオン処理のフローチャート
【図４】測定／自動スイッチオン処理のフローチャート
【符号の説明】
【００３８】
１００…グラフィックイコライザ、１０１…ＣＰＵ（中央処理装置）、１０２…フラッシュメモリ、１０３…ＲＡＭ（ランダムアクセスメモリ）、１０４…表示器、１０５…操作子、１０６，１０７，１１１…ＡＤＣ（アナログディジタル変換器）、１０８…ＤＳＰ（信号処理部）、１０９…出力選択部、１１０…ピンクノイズ発生部、１１２…ＤＡＣ（ディジタルアナログ変換器）、１１３…バスライン。
【図１】
0004433417.tif 000002
【図２】
0004433417.tif 000003
【図３】
0004433417.tif 000004
【図４】
0004433417.tif 000005